(57)【要約】【課題】  既存のスケジュールに基づいて、新たなスケジュールを容易に作成する仕組みを提供する。【解決手段】  案件に係るスケジュールを管理する情報処理システムであって、コピー元のスケジュールを受け付けるコピー元スケジュール受付手段と、コピー先の案件の指定を受け付けるコピー先案件受付手段と、前記コピー先案件受付手段により受け付けた案件に係る情報を取得するコピー先案件情報取得手段と、前記コピー元スケジュール受付手段により受け付けたコピー元のスケジュール及び前記コピー先案件情報取得手段により取得した情報に基づき、前記コピー先案件受付手段により受け付けた案件のスケジュールを作成するコピー先スケジュール作成手段とを備えることを特徴とする情報処理システム。【選択図】  図１０
2019113953.tif 000002
【特許請求の範囲】
【請求項１】
案件に係るスケジュールを管理する情報処理システムであって、
コピー元のスケジュールを受け付けるコピー元スケジュール受付手段と、
コピー先の案件の指定を受け付けるコピー先案件受付手段と、
前記コピー先案件受付手段により受け付けた案件に係る情報を取得するコピー先案件情報取得手段と、
前記コピー元スケジュール受付手段により受け付けたコピー元のスケジュール及び前記コピー先案件情報取得手段により取得した情報に基づき、前記コピー先案件受付手段により受け付けた案件のスケジュールを作成するコピー先スケジュール作成手段と
を備えることを特徴とする情報処理システム。
【請求項２】
前記スケジュールとは、弁済に係るスケジュールであり、
前記案件に係る情報とは、前記案件に係る貸付の情報であり、
前記コピー先スケジュール作成手段は、
前記コピー元スケジュール受付手段により受け付けたコピー元のスケジュール及び前記コピー先案件情報取得手段により取得した貸付の情報に基づき、前記コピー先案件受付手段により受け付けた案件の前記貸付の弁済に係るスケジュールを作成すること
を特徴とする請求項１に記載の情報処理システム。
【請求項３】
前記スケジュールとは、弁済に係るスケジュールであり、
前記案件に係る情報とは、前記案件に係る貸付人の情報であり、
前記コピー先スケジュール作成手段は、
前記コピー元スケジュール受付手段により受け付けたコピー元のスケジュール及び前記コピー先案件情報取得手段により取得した貸付人の情報に基づき、前記コピー先案件受付手段により受け付けた案件の前記貸付人毎の弁済に係るスケジュールを作成すること
を特徴とする請求項１に記載の情報処理システム。
【請求項４】
前記スケジュールとは、利息に係るスケジュールであり、
前記案件に係る情報とは、前記案件に係る貸付の情報であり、
前記コピー先スケジュール作成手段は、
前記コピー元スケジュール受付手段により受け付けたコピー元のスケジュール及び前記コピー先案件情報取得手段により取得した貸付の情報に基づき、前記コピー先案件受付手段により受け付けた案件の利息に係るスケジュールを作成すること
を特徴とする請求項１に記載の情報処理システム。
【請求項５】
前記スケジュールとは、利息に係るスケジュールであり、
前記案件に係る情報とは、前記案件に係る貸付人の情報であり、
前記コピー先スケジュール作成手段は、
前記コピー元スケジュール受付手段により受け付けたコピー元のスケジュール及び前記コピー先案件情報取得手段により取得した貸付人の情報に基づき、前記コピー先案件受付手段により受け付けた案件の前記貸付人毎の利息に係るスケジュールを作成すること
を特徴とする請求項１に記載の情報処理システム。
【請求項６】
案件に係るスケジュールを管理する情報処理システムにおける処理方法であって、
前記情報処理システムが、
コピー元のスケジュールを受け付けるコピー元スケジュール受付ステップと、
コピー先の案件の指定を受け付けるコピー先案件受付ステップと、
前記コピー先案件受付ステップにより受け付けた案件に係る情報を取得するコピー先案件情報取得ステップと、
前記コピー元スケジュール受付ステップにより受け付けたコピー元のスケジュール及び前記コピー先案件情報取得ステップにより取得した情報に基づき、前記コピー先案件受付ステップにより受け付けた案件のスケジュールを作成するコピー先スケジュール作成ステップと
を実行することを特徴とする処理方法。
【請求項７】
案件に係るスケジュールを管理する情報処理システムで実行可能なプログラムであって、
前記情報処理システムを、
コピー元のスケジュールを受け付けるコピー元スケジュール受付手段と、
コピー先の案件の指定を受け付けるコピー先案件受付手段と、
前記コピー先案件受付手段により受け付けた案件に係る情報を取得するコピー先案件情報取得手段と、
前記コピー元スケジュール受付手段により受け付けたコピー元のスケジュール及び前記コピー先案件情報取得手段により取得した情報に基づき、前記コピー先案件受付手段により受け付けた案件のスケジュールを作成するコピー先スケジュール作成手段
として機能させるためのプログラム。
【発明の詳細な説明】
【技術分野】
【０００１】
本発明は、スケジュールを管理する情報処理システム、その処理方法及びプログラムに関する。
【背景技術】
【０００２】
近年、担保付きの相対融資や不良債権問題もあり、融資の在り方を問われる中、新しい融資の形態としてシンジケートローンが広まってきている。シンジケートローンとは、図４に示すように、借入人４０１の資金調達ニーズに対し、複数の金融機関等の貸付人４０５（一般的には、参加行、参加投資家又はパートイン等と呼ばれる）が協調融資団４０４（シンジケート）を結成し、同一の誓約書による貸出し等の信用供与を行う融資形態である。
【０００３】
この形態の融資では、まず、アレンジャー４０２が融資案件の組成（契約の締結）までを行う。その後、貸付人４０５は、協調融資団４０４に参加して融資を実行し、協調融資団４０４と借入人４０１との取纏めを行なうエージェント４０３を経由して資金回収の管理を行う。
【０００４】
エージェント４０３は、シンジケートローンシステムに対して、資金回収のスケジュールを登録し、資金回収を管理する。しかし、このスケジュールは、融資案件毎に、貸付人４０５の数や融資限度額等に応じて、個別に作成し登録しなければならないという問題がある。
【０００５】
特許文献１には、シンジケートローンシステムの画面を介して入力された情報（融資情報や貸付額情報等）及びカレンダーに基づいて、弁済スケジュールを算出する技術が記載されている。
【先行技術文献】
【特許文献】
【０００６】
【特許文献１】特開２０１７−１５６８４２号公報
【発明の概要】
【発明が解決しようとする課題】
【０００７】
しかしながら、特許文献１のシステムでは、画面を介して入力された情報及びカレンダーに基づいて、スケジュールを算出することができるが、エージェント４０３が作成した既存のスケジュールに基づいて、新たなスケジュールを作成することができないという問題がある。
【０００８】
そこで、本発明は、既存のスケジュールに基づいて、新たなスケジュールを容易に作成する仕組みを提供することを目的とする。
【課題を解決するための手段】
【０００９】
案件に係るスケジュールを管理する情報処理システムであって、コピー元のスケジュールを受け付けるコピー元スケジュール受付手段と、コピー先の案件の指定を受け付けるコピー先案件受付手段と、前記コピー先案件受付手段により受け付けた案件に係る情報を取得するコピー先案件情報取得手段と、前記コピー元スケジュール受付手段により受け付けたコピー元のスケジュール及び前記コピー先案件情報取得手段により取得した情報に基づき、前記コピー先案件受付手段により受け付けた案件のスケジュールを作成するコピー先スケジュール作成手段とを備えることを特徴とする情報処理システム。
【発明の効果】
【００１０】
本発明によれば、既存のスケジュールに基づいて、新たなスケジュールを容易に作成する仕組みを提供することができる。
【図面の簡単な説明】
【００１１】
【図１】本実施形態の情報処理システム１００の構成の一例を示す図
【図２】本実施形態の情報処理装置１０１及びサーバ１０２のハードウエア構成の一例を示す図
【図３】本実施形態の情報処理システム１００の機能構成の一例を示すブロック図
【図４】シンジケートローンの組成について説明するための説明図の一例
【図５】本実施形態の情報処理システム１００の元本ＣＦスケジュールコピー処理の一例を示すフローチャート
【図６】本実施形態の情報処理システム１００により出力されるコピー元の元本ＣＦ画面の一例を示す図
【図７】本実施形態の情報処理システム１００により出力されるコピー先の案件受付画面の一例を示す図
【図８】本実施形態の情報処理システム１００により出力されるコピー先の貸付情報画面の一例を示す図
【図９】本実施形態の情報処理システム１００により出力されるコピー先の貸付人情報画面の一例を示す図
【図１０】本実施形態の情報処理システム１００により出力されるコピー先の元本ＣＦ画面の一例を示す図
【図１１】本実施形態の情報処理システム１００の利息ＣＦスケジュールコピー処理の一例を示すフローチャート
【図１２】本実施形態の情報処理システム１００により出力されるコピー元の利息ＣＦ画面の一例を示す図
【図１３】本実施形態の情報処理システム１００により出力されるコピー先の案件受付画面の一例を示す図
【図１４】本実施形態の情報処理システム１００により出力されるコピー先の貸付情報画面の一例を示す図
【図１５】本実施形態の情報処理システム１００により出力されるコピー先の元本ＣＦ画面の一例を示す図
【図１６】本実施形態の情報処理システム１００により出力されるコピー先の利息ＣＦ画面の一例を示す図
【図１７】本実施形態の情報処理システム１００におけるコピー元の各テーブルの一例
【図１８】本実施形態の情報処理システム１００におけるコピー前時点におけるコピー先の各テーブルの一例
【図１９】本実施形態の情報処理システム１００におけるコピー後時点におけるコピー先の各テーブルの一例
【発明を実施するための形態】
【００１２】
以下、図面を参照して本発明の実施形態を詳細に説明する。
【００１３】
図１は、本発明の実施形態における情報処理システム１００の構成の一例を示す図である。
【００１４】
情報処理システム１００は、シンジケートローンシステムであり、情報処理装置１０１及びサーバ１０２を含み、これらはネットワーク１０３によって通信可能である。
【００１５】
情報処理装置１０１は、システムのユーザ（例：エージェント４０３）による画面操作によって、データの操作を行う。
【００１６】
サーバ１０２は、システムのデータを管理し、情報処理装置１０１からのリクエストに応じて処理を行い、生成した画面情報を情報処理装置１０１に送信する。
【００１７】
つまり、サーバ１０２は、いわゆるアプリケーションサーバである。なお、シンジケートローンシステムは、情報処理装置１０１にシンジケートローンシステムのアプリケーションをインストールするクライアントサーバ型アプリケーションであってもよいし、情報処理装置１０１のＷｅｂブラウザ等を用いて、ＨＴＴＰプロトコルによりサーバ１０２と通信を行うＷｅｂアプリケーションであってもよい。
【００１８】
シンジケートローンシステムは、情報処理装置１０１にシンジケートローンシステムのアプリケーションをインストールするクライアントサーバ型アプリケーションであってもよいし、情報処理装置１０１のＷｅｂブラウザ等を用いて、ＨＴＴＰプロトコル等によりサーバ１０２と通信を行うＷｅｂアプリケーション等、その他の形態のシステムであってもよい。
【００１９】
また、本発明の実施形態においては、サーバ１０２が存在するとしたが無くてもよい。その場合は、情報処理装置１０１がサーバ１０２の役割を担うとする。つまり、情報処理システム１００の最小構成としては、シンジケートローンについて操作する情報処理装置１０１が存在すればよい。また、情報処理装置１０１及びサーバ１０２の少なくとも１つがクラウド上に存在するクラウドシステムであってもよい。
【００２０】
なお、本発明の実施形態は、情報処理システム１００は、シンジケートローンシステムとしたが、これに限定するものではなく、画面を介して処理を行うシステムであれば、他のシステムであってもよい。
【００２１】
以下、図２を用いて、図１に示した情報処理装置１０１及びサーバ１０２に適用可能なハードウエア構成の一例について説明する。
【００２２】
図２において、２０１はＣＰＵで、システムバス２０４に接続される各デバイスやコントローラを統括的に制御する。また、ＲＯＭ２０３あるいは外部メモリ２１１には、ＣＰＵ２０１の制御プログラムであるＢＩＯＳ（Ｂａｓｉｃ  Ｉｎｐｕｔ  ／  Ｏｕｔｐｕｔ  Ｓｙｓｔｅｍ）やオペレーティングシステムプログラム（以下、ＯＳ）や、各サーバ或いは各ＰＣの実行する機能を実現するために必要な各種プログラム等が記憶されている。
【００２３】
２０２はＲＡＭで、ＣＰＵ２０１の主メモリ、ワークエリア等として機能する。ＣＰＵ２０１は、処理の実行に際して必要なプログラム等をＲＯＭ２０３あるいは外部メモリ２１１からＲＡＭ２０２にロードして、該ロードしたプログラムを実行することで各種動作を実現するものである。
【００２４】
また、２０５は入力コントローラで、入力装置２０９等からの入力を制御する。２０６はビデオコントローラで、液晶ディスプレイ等のディスプレイ装置２１０への表示を制御する。なお、ディスプレイ装置は、液晶ディスプレイに限られず、ＣＲＴディスプレイなどであっても良い。これらは必要に応じてクライアントが使用するものである。
【００２５】
２０７はメモリコントローラで、ブートプログラム，各種のアプリケーション，フォントデータ，ユーザファイル，編集ファイル，各種データ等を記憶するハードディスク（ＨＤ）や、フレキシブルディスク（ＦＤ）、或いはＰＣＭＣＩＡカードスロットにアダプタを介して接続されるコンパクトフラッシュ（登録商標）メモリ等の外部メモリ２１１へのアクセスを制御する。
【００２６】
２０８は通信Ｉ／Ｆコントローラで、ネットワーク１０３を介して外部機器と接続・通信するものであり、ネットワークでの通信制御処理を実行する。例えば、ＴＣＰ／ＩＰを用いた通信等が可能である。
【００２７】
なお、ＣＰＵ２０１は、例えばＲＡＭ２０２内の表示情報用領域へアウトラインフォントの展開（ラスタライズ）処理を実行することにより、ディスプレイ装置２１０上での表示を可能としている。また、ＣＰＵ２０１は、ディスプレイ装置２１０上の不図示のマウスカーソル等でのユーザ指示を可能とする。
【００２８】
ハードウエア上で動作する各種プログラムは、外部メモリ２１１に記録されており、必要に応じてＲＡＭ２０２にロードされることによりＣＰＵ２０１によって実行されるものである。
【００２９】
なお、全ての装置がこれらの構成を備えているわけではなく、必要なものを夫々備えていればよい。
【００３０】
図３は、情報処理システム１００の機能構成の一例を示すブロック図である。
【００３１】
コピー元スケジュール受付部３０１は、コピー元のスケジュールを受け付ける機能部である。
【００３２】
コピー先案件受付部３０２は、コピー先の案件の指定を受け付ける機能部である。
【００３３】
コピー先案件情報取得部３０３は、コピー先案件受付部３０２により受け付けた案件に係る情報を取得する機能部である。
【００３４】
コピー先スケジュール作成部３０４は、コピー元スケジュール受付部３０１により受け付けたコピー元のスケジュール及びコピー先案件情報取得部３０３により取得した情報に基づき、コピー先案件受付部３０２により受け付けた案件のスケジュールを作成する機能部である。
【００３５】
コピー先スケジュール作成部３０４は、コピー元スケジュール受付部３０１により受け付けたコピー元のスケジュール及びコピー先案件情報取得部３０３により取得した貸付の情報に基づき、コピー先案件受付部３０２により受け付けた案件の貸付の弁済に係るスケジュールを作成する機能部である。
【００３６】
コピー先スケジュール作成部３０４は、コピー元スケジュール受付部３０１により受け付けたコピー元のスケジュール及びコピー先案件情報取得部３０３により取得した貸付人の情報に基づき、コピー先案件受付部３０２により受け付けた案件の貸付人毎の弁済に係るスケジュールを作成する機能部である。
【００３７】
コピー先スケジュール作成部３０４は、コピー元スケジュール受付部３０１により受け付けたコピー元のスケジュール及びコピー先案件情報取得部３０３により取得した貸付の情報に基づき、コピー先案件受付部３０２により受け付けた案件の利息に係るスケジュールを作成する機能部である。
【００３８】
コピー先スケジュール作成部３０４は、コピー元スケジュール受付手段により受け付けたコピー元のスケジュール及びコピー先案件情報取得部３０３により取得した貸付人の情報に基づき、コピー先案件受付部３０２により受け付けた案件の貸付人毎の利息に係るスケジュールを作成する機能部である。
【００３９】
図１７は、情報処理システム１００におけるコピー元の各テーブルの一例である。図１８は、情報処理システム１００におけるコピー前時点におけるコピー先の各テーブルの一例である。図１９は、情報処理システム１００におけるコピー後時点におけるコピー先の各テーブルの一例である。
【００４０】
本実施形態で使用するテーブルは６テーブル（貸付情報テーブル１７１０、貸付人情報テーブル１７２０、元本ＣＦテーブル１７３０、貸付人別元本ＣＦテーブル１７４０、利息ＣＦテーブル１７５０及び貸付人別利息ＣＦテーブル１７６０）であるが、各テーブルに記したレコードを説明するために、便宜上、テーブル番号の後にＡ・Ｂ・Ｃを追記した。Ａ・Ｂ・Ｃの意味は、Ａ：コピー元レコード、Ｂ：コピー前時点におけるコピー先レコード、Ｃ：コピー後時点におけるコピー先レコードである。
【００４１】
上記６テーブルは、すべてサーバ１０２の外部メモリ２１１に記憶するが、この方法に限定するものではなく、情報処理装置１０１の外部メモリ２１１等、他の装置に記憶するとしてもよい。
【００４２】
各テーブルと各画面について、簡単に説明しておく。
【００４３】
貸付情報テーブル１７１０には、貸付情報画面８００（図８）を用いて登録された、貸付案件の情報が記憶される。
【００４４】
貸付人情報テーブル１７２０には、貸付人情報画面９００（図９）を用いて登録された、貸付案件に参加した貸付人４０５の情報が記憶される。
【００４５】
元本ＣＦテーブル１７３０には、元本ＣＦ（キャッシュフロー）画面１０００（図１０）を用いて登録された、元本のキャッシュフロー情報が記憶される。
【００４６】
貸付人別元本ＣＦテーブル１７４０には、元本ＣＦ画面１０００を用いて登録された、貸出人毎の元本のキャッシュフロー情報が記憶される。
【００４７】
利息ＣＦテーブル１７５０には、利息ＣＦ画面１２００（図１２）を用いて登録された、利息のキャッシュフロー情報が記憶される。
【００４８】
貸付人別利息ＣＦテーブル１７６０には、利息ＣＦ画面１２００を用いて登録された、貸出人毎の利息のキャッシュフロー情報が記憶される。
【００４９】
図５は、本実施形態の情報処理システム１００の元本ＣＦ（キャッシュフロー）のスケジュールコピー処理の一例を示すフローチャートである。以下の各処理は、各装置のＣＰＵ２０１が行うものとする。
【００５０】
ステップＳ５０１において、情報処理装置１０１は、ディスプレイ装置２１０に出力されたシンジケートローンシステムの元本キャッシュフロー画面６００（図６）にて、ユーザ（エージェント４０３）からスケジュール６０１の入力及びスケジュールコピーボタン６０２の押下を受け付ける。すなわち、ステップＳ５０１は、コピー元のスケジュールを受け付ける処理の一例を示すステップである。
【００５１】
ステップＳ５０２において、情報処理装置１０１は、コピー先案件受付画面７００（図７）を表示する。ここでは、コピー先の案件を識別する取扱番号を入力させる画面を表示する。
【００５２】
ステップＳ５０３において、情報処理装置１０１は、コピー先取扱番号の入力を受け付ける。ここでは、コピー先取扱番号として、“２０１７０８０”が入力され、ＯＫボタンが押下されたとする。すなわち、ステップＳ５０３は、コピー先の案件の指定を受け付ける処理の一例を示すステップである。
【００５３】
ステップＳ５０４において、情報処理装置１０１は、ステップＳ５０３にて受け付けたコピー先取扱番号が存在する取扱番号か否か、サーバ１０２に対して判定を要求する。存在する場合はステップＳ５０６に進み、存在しない場合はステップＳ５０５に進む。サーバ１０２は、貸付情報テーブル１７１０を参照し、コピー先取扱番号の存在を判定し、情報処理装置１０１に返信する。
【００５４】
ステップＳ５０５において、情報処理装置１０１は、ステップＳ５０３にて受け付けたコピー先取扱番号が存在しない旨のエラーメッセージを表示する（不図示）。
【００５５】
ステップＳ５０６において、情報処理装置１０１は、ステップＳ５０３にて受け付けたコピー先取扱番号に対応する元本ＣＦレコードが存在するか否か、サーバ１０２に対して判定を要求する。存在する場合はステップＳ５０７に進み、存在しない場合はステップＳ５０８に進む。サーバ１０２は、元本ＣＦテーブル１７３０を参照し、コピー先取扱番号に対応する元本ＣＦレコードの存在を判定し、情報処理装置１０１に判定結果を返信する。
【００５６】
ステップＳ５０７において、情報処理装置１０１は、ステップＳ５０３にて受け付けたコピー先取扱番号に対応する元本ＣＦレコードが存在するためレコードを作成できない旨のエラーメッセージを表示する（不図示）。
【００５７】
ステップＳ５０８において、情報処理装置１０１は、コピー元の元本ＣＦレコードをコピーし、コピー先の元本ＣＦレコードを作成する（図１０の１００１）。すなわち、ステップＳ５０８は、受け付けた案件に係る情報を取得する処理の一例を示すステップである。また、ステップＳ５０８は、コピー元のスケジュール及び取得した情報に基づき、案件のスケジュールを作成する処理の一例を示すステップである。
【００５８】
具体的には、元本キャッシュフロー画面６００に表示中の取扱番号に係るスケジュール６０１（貸付連番、ＣＦ連番、弁済日、計算開始日、計算終了日）を元本ＣＦテーブル１７３０Ａ（図１７）からコピーし（例：２０レコード）、取扱番号をコピー先取扱番号にしたレコード（例：２０レコード）を作成し、元本ＣＦテーブル１７３０Ｃ（図１９）に登録する。
【００５９】
なお、本実施形態においては、元本キャッシュフロー画面６００に表示中の取扱番号に係るスケジュール６０１をコピー元としたが、この方法に限定するものではなく、元本キャッシュフロー画面６００のスケジュール部において表示されているスケジュールのみをコピー元としたり、元本キャッシュフロー画面６００のスケジュール６０１においてユーザが選択した範囲のスケジュールのみをコピー元としたり、コピー元のスケジュール６０１の日付間隔に基づきコピー先の所定日付から当該日付間隔を用いてスケジュールを新たに作成したり、その他の方法を用いてコピー先のスケジュールを作成するとしてもよい。これにより、一度作成したスケジュールに基づき、様々なスケジュールを容易に作成することができるようになる。
【００６０】
ステップＳ５０９において、情報処理装置１０１は、コピー先の貸付情報に基づき、コピー先の元本ＣＦレコードを更新する（図１０の１００２）。すなわち、ステップＳ５０９は、コピー元のスケジュール及び取得した情報に基づき、案件のスケジュールを作成する処理の一例を示すステップである。また、ステップＳ５０９は、コピー元のスケジュール及び貸付の情報に基づき、案件の貸付の弁済に係るスケジュールを作成する処理の一例を示すステップである。
【００６１】
具体的には、コピー先取扱番号（例：２０１７０８０）に対応する貸付情報テーブル１７１０Ｂの貸付額８０１（例：２０億円）及び弁済額８０２（例：１億円）に基づき、元本ＣＦテーブル１７３０Ｃのコピー先取扱番号（例：２０１７０８０）に対応する元本ＣＦレコード（例：２０レコード）の予定返済元本及び弁済後元本残高を（例：１億円及び２０億円から１億円ずつ減額していく、にそれぞれ）更新する。
【００６２】
なお、本実施形態においては、コピー先の貸付情報に基づき、コピー先の元本ＣＦレコードを更新するとしたが、この方法に限定するものではなく、コピー先の貸付情報以外の情報に基づいて更新するとしてもよいし、その他の更新方法をユーザに作成・選択させたりする等としてもよい。
【００６３】
これにより、既存の元本ＣＦスケジュールに基づいて、新たな元本ＣＦスケジュールを作成することができないという問題を解決することができ、既存の元本ＣＦスケジュールに基づいて、新たな元本ＣＦスケジュールを容易に作成することができるようになる。
【００６４】
ステップＳ５１０において、情報処理装置１０１は、コピー先の貸付人情報の参加割合に基づき、コピー先の貸付人別元本ＣＦレコードを作成する（図１０の１００３）。すなわち、ステップＳ５１０は、コピー元のスケジュール及び取得した情報に基づき、案件のスケジュールを作成する処理の一例を示すステップである。また、ステップＳ５１０は、コピー元のスケジュール及び貸付人の情報に基づき、案件の貸付人毎の弁済に係るスケジュール処理の一例を示すステップである。
【００６５】
具体的には、コピー先取扱番号（例：２０１７０８０）に対応する弁済額８０２（図８、図１７の貸付情報テーブル１７１０Ｂの弁済額（例：１億円））及び貸付極度額９０１（図９、図１７の貸付人情報テーブル１７２０Ｂの貸付極度額（例：８億円、２億円、１０億円））に基づき、コピー先取扱番号（例：２０１７０８０）に対応する貸付人別元本ＣＦレコード（例：２０レコードｘ３貸付人＝６０レコード）を作成し、貸付人別元本ＣＦテーブル１７４０Ｃ（図１９）に登録する（例：６０レコード）。ここでは、貸付人別元本ＣＦレコードの予定弁済元本＝弁済額×貸付人毎の貸付極度額÷総貸付極度額で求めた（例：４千万円、１千万円、５千万円）が、その他の算出方法であってもよい。これにより、新たなスケジュールを容易に作成するだけでなく、新たなスケジュールに係る予定弁済元本などの弁済情報を同時に作成することができる。
【００６６】
なお、本実施形態においては、コピー先の貸付人情報の参加割合に基づき、コピー先の貸付人別元本ＣＦレコードを作成するとしたが、この方法に限定するものではなく、貸付人情報の参加割合以外の情報に基づいてコピー先の貸付人別元本ＣＦレコードを作成するとしてもよいし、その他の作成方法をユーザに作成・選択させたりする等としてもよい。
【００６７】
これにより、既存の元本ＣＦスケジュールに基づいて、新たな貸付人別元本ＣＦスケジュールを作成することができないという問題を解決することができ、既存の元本ＣＦスケジュールに基づいて、新たな貸付人別元本ＣＦスケジュールを容易に作成することができるようになる。
【００６８】
以上で、図５の説明を終了する。
【００６９】
図１１は、本実施形態の情報処理システム１００の利息ＣＦのスケジュールコピー処理の一例を示すフローチャートである。以下の各処理は、各装置のＣＰＵ２０１が行うものとする。
【００７０】
ステップＳ１１０１において、情報処理装置１０１は、ディスプレイ装置２１０に出力されたシンジケートローンシステムの利息キャッシュフロー画面１２００（図１２）にて、ユーザ（エージェント４０３）からスケジュール１２０１の入力及びスケジュールコピーボタン１２０２の押下を受け付ける。すなわち、ステップＳ１１０１は、コピー元のスケジュールを受け付ける処理の一例を示すステップである。
【００７１】
ステップＳ１１０２において、情報処理装置１０１は、コピー先案件受付画面１３００（図１３）を表示する。ここでは、コピー先の案件を識別する取扱番号を入力させる画面を表示する。
【００７２】
ステップＳ１１０３において、情報処理装置１０１は、コピー先取扱番号の入力を受け付ける。ここでは、コピー先取扱番号として、“２０１７０８０”が入力され、ＯＫボタンが押下されたとする。すなわち、ステップＳ１１０３は、コピー先の案件の指定を受け付ける処理の一例を示すステップである。
【００７３】
ステップＳ１１０４において、情報処理装置１０１は、ステップＳ１１０３にて受け付けたコピー先取扱番号が存在する取扱番号か否か、サーバ１０２に対して判定を要求する。存在する場合はステップＳ１１０６に進み、存在しない場合はステップＳ１１０５に進む。サーバ１０２は、貸付情報テーブル１７１０を参照し、コピー先取扱番号の存在を判定し、情報処理装置１０１に返信する。
【００７４】
ステップＳ１１０５において、情報処理装置１０１は、ステップＳ１１０３にて受け付けたコピー先取扱番号が存在しない旨のエラーメッセージを表示する（不図示）。
【００７５】
ステップＳ１１０６において、情報処理装置１０１は、ステップＳ１１０３にて受け付けたコピー先取扱番号に対応する利息ＣＦレコードが存在するか否か、サーバ１０２に対して判定を要求する。存在する場合はステップＳ１１０７に進み、存在しない場合はステップＳ１１０８に進む。サーバ１０２は、利息ＣＦテーブル１７５０を参照し、コピー先取扱番号に対応する利息ＣＦレコードの存在を判定し、情報処理装置１０１に判定結果を返信する。
【００７６】
ステップＳ１１０７において、情報処理装置１０１は、ステップＳ１１０３にて受け付けたコピー先取扱番号に対応する利息ＣＦレコードが存在するためレコードを作成できない旨のエラーメッセージを表示する（不図示）。
【００７７】
ステップＳ１１０８において、情報処理装置１０１は、コピー元の利息ＣＦレコードをコピーし、コピー先の利息ＣＦレコードを作成する（図１６の１６０１）。すなわち、ステップＳ１１０８は、受け付けた案件に係る情報を取得する処理の一例を示すステップである。また、ステップＳ１１０８は、コピー元のスケジュール及び取得した情報に基づき、案件のスケジュールを作成する処理の一例を示すステップである。
【００７８】
具体的には、利息キャッシュフロー画面１２００に表示中の取扱番号に係るスケジュール１２０１（貸付連番、ＣＦ連番、利払日、計算開始日、計算終了日）を利息ＣＦテーブル１７５０Ａ（図１７）からコピーし（例：４０レコード）、取扱番号をコピー先取扱番号にしたレコード（例：４０レコード）を作成し、利息ＣＦテーブル１７５０Ｃ（図１９）に登録する。
【００７９】
なお、本実施形態においては、利息キャッシュフロー画面１２００に表示中の取扱番号に係るスケジュール１２０１をコピー元としたが、この方法に限定するものではなく、利息キャッシュフロー画面１２００のスケジュール部において表示されているスケジュールのみをコピー元としたり、利息キャッシュフロー画面１２００のスケジュール１２０１においてユーザが選択した範囲のスケジュールのみをコピー元としたり、コピー元のスケジュール６０１の日付間隔に基づきコピー先の所定日付から当該日付間隔を用いてスケジュールを新たに作成したり、その他の方法を用いてコピー先のスケジュールを作成するとしてもよい。これにより、一度作成したスケジュールに基づき、様々なスケジュールを容易に作成することができるようになる。
【００８０】
ステップＳ１１０９において、情報処理装置１０１は、コピー先の貸付情報１４００（図１４）に基づき、コピー先の利息ＣＦレコードを更新する（図１６の１６０２）。すなわち、ステップＳ１１０９は、コピー元のスケジュール及び取得した情報に基づき、案件のスケジュールを作成する処理の一例を示すステップである。また、ステップＳ１１０９は、コピー元のスケジュール及び貸付の情報に基づき、案件の利息に係るスケジュールを作成する処理の一例を示すステップである。
【００８１】
具体的には、コピー先取扱番号（例：２０１７０８０）に対応する貸付情報テーブル１７１０Ｂのベースレート１４０１（例：１．２３４５６）及びスプレッド１４０２（例：０．１２３４５）に基づき、利息ＣＦテーブル１７５０Ｃのコピー先取扱番号（例：２０１７０８０）に対応する利息ＣＦレコード（例：４０レコード）のベースレート及びスプレッド１４０２を（例：１．２３４５６及び０．１２３４５にそれぞれ）更新する。
【００８２】
なお、本実施形態においては、コピー先の貸付情報に基づき、コピー先の利息ＣＦレコードを更新するとしたが、この方法に限定するものではなく、コピー先の貸付情報以外の情報に基づいて更新するとしてもよいし、その他の更新方法をユーザに作成・選択させたりする等としてもよい。
【００８３】
これにより、既存の利息ＣＦスケジュールに基づいて、新たな利息ＣＦスケジュールを作成することができないという問題を解決することができ、既存の利息ＣＦスケジュールに基づいて、新たな利息ＣＦスケジュールを容易に作成することができるようになる。
【００８４】
ステップＳ１１１０において、情報処理装置１０１は、コピー先の元本ＣＦ情報１５００（図１５）の参加割合に基づき、コピー先の貸付人別利息ＣＦレコードを作成する（図１６の１６０３）。すなわち、ステップＳ１１１０は、コピー元のスケジュール及び取得した情報に基づき、案件のスケジュールを作成する処理の一例を示すステップである。また、ステップＳ１１１０は、コピー元のスケジュール及び貸付人の情報に基づき、案件の貸付人毎の利息に係るスケジュールを作成する処理の一例を示すステップである。
【００８５】
具体的には、コピー先取扱番号（例：２０１７０８０）に対応する貸付人別元本ＣＦテーブル１７４０Ｃ（図１９）の貸付額（例：８億円、２億円、１０億円）、貸付情報テーブル１７１０Ｂのベースレート１４０１（例：１．２３４５６）及びスプレッド１４０２（例：０．１２３４５）に基づき、コピー先取扱番号（例：２０１７０８０）に対応する貸付人別利息ＣＦレコード（例：４０レコードｘ３貸付人＝１２０レコード）を作成し、貸付人別利息ＣＦテーブル１７６０Ｃ（図１９）に登録する（例：１２０レコード）。ここでは、貸付人別利息ＣＦレコードの利息額＝貸付人別貸付額×利率（＝ベースレート+スプレッド）×計算期間日数÷ベース日数（＝３６５日）で求めた（例：１，７８５，８７６円、４４６，４６９円、２，２３２，３４５円）が、その他の算出方法であってもよい。これにより、新たなスケジュールを容易に作成するだけでなく、新たなスケジュールに係る利息額などの利息情報を同時に作成することができる。
【００８６】
なお、本実施形態においては、コピー先の貸付人情報の参加割合に基づき、コピー先の貸付人別利息ＣＦレコードを作成するとしたが、この方法に限定するものではなく、貸付人情報の参加割合以外の情報に基づいてコピー先の貸付人別利息ＣＦレコードを作成するとしてもよいし、その他の作成方法をユーザに作成・選択させたりする等としてもよい。
【００８７】
これにより、既存の利息ＣＦスケジュールに基づいて、新たな貸付人別利息ＣＦスケジュールを作成することができないという問題を解決することができ、既存の利息ＣＦスケジュールに基づいて、新たな貸付人別利息ＣＦスケジュールを容易に作成することができるようになる。
【００８８】
以上で、図１１の説明を終了する。
【００８９】
以上により、既存のスケジュールに基づいて、新たなスケジュールを容易に作成することができるようになる。
【００９０】
なお、本実施形態においては、殆どの処理を情報処理装置１０１が行うとしたが、この方法に限定するものではなく、サーバ１０２やその他の情報処理装置が行うとしてもよい。また、データベースの各テーブルは、サーバ１０２ではなく、他の記憶装置が記憶するとしてもよい。
【００９１】
なお、本実施形態においては、シンジケートローンシステムを実施形態としたが、この実施形態に限定するものではなく、スケジュールを管理するものであれば、予定管理、期日管理、契約管理、特許管理、ワークフロー、プロジェクトマネジメント等に用いるソフトウェアやシステム等であってもよい。それらに本発明を適用することにより、既存のスケジュールに基づいて、新たなスケジュールを容易に作成することができるようになる。
【００９２】
以上のように、前述した実施形態の機能を実現するプログラムを記録した記録媒体を、システムあるいは装置に供給し、そのシステムあるいは装置のコンピュータ（またはＣＰＵやＭＰＵ）が記録媒体に格納されたプログラムを読み出し、実行することによっても本発明の目的が達成されることは言うまでもない。
【００９３】
この場合、記録媒体から読み出されたプログラム自体が本発明の新規な機能を実現することになり、そのプログラムを記録した記録媒体は本発明を構成することになる。
【００９４】
プログラムを供給するための記録媒体としては、例えば、フレキシブルディスク、ハードディスク、光ディスク、光磁気ディスク、ＣＤ−ＲＯＭ、ＣＤ−Ｒ、ＤＶＤ−ＲＯＭ、磁気テープ、不揮発性のメモリカード、ＲＯＭ、ＥＥＰＲＯＭ、シリコンディスク等を用いることが出来る。
【００９５】
また、コンピュータが読み出したプログラムを実行することにより、前述した実施形態の機能が実現されるだけでなく、そのプログラムの指示に基づき、コンピュータ上で稼働しているＯＳ（オペレーティングシステム）等が実際の処理の一部または全部を行い、その処理によって前述した実施形態の機能が実現される場合も含まれることは言うまでもない。
【００９６】
さらに、記録媒体から読み出されたプログラムが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって前述した実施形態の機能が実現される場合も含まれることは言うまでもない。
【００９７】
また、本発明は、複数の機器から構成されるシステムに適用しても、ひとつの機器から成る装置に適用しても良い。また、本発明は、システムあるいは装置にプログラムを供給することによって達成される場合にも適応できることは言うまでもない。この場合、本発明を達成するためのプログラムを格納した記録媒体を該システムあるいは装置に読み出すことによって、そのシステムあるいは装置が、本発明の効果を享受することが可能となる。
【００９８】
上記プログラムの形態は、オブジェクトコード、インタプリタにより実行されるプログラムコード、ＯＳ（オペレーティングシステム）に供給されるスクリプトデータ等の形態から成ってもよい。
【００９９】
さらに、本発明を達成するためのプログラムをネットワーク上のサーバ、データベース等から通信プログラムによりダウンロードして読み出すことによって、そのシステムあるいは装置が、本発明の効果を享受することが可能となる。なお、上述した各実施形態およびその変形例を組み合わせた構成も全て本発明に含まれるものである。
【符号の説明】
【０１００】
１００  情報処理システム
１０１  情報処理装置
１０２  サーバ
１０３  ネットワーク
【図１】
2019113953.tif 000003
【図２】
2019113953.tif 000004
【図３】
2019113953.tif 000005
【図４】
2019113953.tif 000006
【図５】
2019113953.tif 000007
【図６】
2019113953.tif 000008
【図７】
2019113953.tif 000009
【図８】
2019113953.tif 000010
【図９】
2019113953.tif 000011
【図１０】
2019113953.tif 000012
【図１１】
2019113953.tif 000013
【図１２】
2019113953.tif 000014
【図１３】
2019113953.tif 000015
【図１４】
2019113953.tif 000016
【図１５】
2019113953.tif 000017
【図１６】
2019113953.tif 000018
【図１７】
2019113953.tif 000019
【図１８】
2019113953.tif 000020
【図１９】
2019113953.tif 000021